(57)【要約】【課題】筐体の上面で、ハンドルの側方に位置する箇所に、各ポジションを標記したラベルを貼付する際の取付幅を確保しつつ、筐体のコンパクト化を実現することができる技術を提供すること。【解決手段】開閉器を構成する筐体を、少なくとも１面を開口させた複数の箱状ケースの各開口を幅方向から突き合わせて構成し、該箱状ケースは、各々突合せた状態においてハンドルを貫通させる開口部となる切欠き部を、上面に備え、前記筐体を上面から見て前記開口部を２等分する２等分線と、筐体の幅方向を２等分する２等分線とが、一致しないように、ずらして形成した。【選択図】図６
2015090835.tif 000002
【特許請求の範囲】
【請求項１】
開閉器を構成する筐体を、少なくとも１面を開口させた複数の箱状ケースの各開口を筐体の幅方向から突き合わせて構成し、
該箱状ケースは、各々突合せた状態においてハンドルを貫通させる開口部となる切欠き部を、上面に備え、
前記筐体を上面から見て前記開口部を２等分する２等分線と、筐体の幅方向を２等分する２等分線とが一致しないようにずらして形成したことを特徴とする開閉器。
【請求項２】
前記筐体の内部に、開閉器の開閉動作行うメカ機構部が収容され、
前記ハンドルのうち前記開口部を貫通するように配置される軸部を、前記筐体を上面から見て幅方向で２等分する２等分線と、前記メカ機構部を、前記筐体を上面から見て幅方向で２等分する２等分線とが、一致しないように、該軸部を筐体の中央部からずらして配置したことを特徴とする請求項１記載の開閉器。
【請求項３】
前記軸部の先端には、ハンドル操作用の操作部が形成され、
該操作部を、前記筐体を上面から見て幅方向で２等分する２等分線と、前記筐体の幅方向を２等分する２等分線とが一致するように、該操作部を筐体の中央部に配置したことを特徴とする請求項２記載の開閉器。
【請求項４】
請求項３記載の開閉器を筐体幅方向に複数並べて使用する際の連結構造であって、
隣接する操作部間を連結する連結部を備え、
該連結部を、前記筐体を上面から見て幅方向で２等分する２等分線と、隣接する筐体間の境界線とが一致するように、該連結部を該境界線の中央部に配置したことを特徴とする開閉器の連結構造。
【発明の詳細な説明】
【技術分野】
【０００１】
本発明は、開閉器およびその連結構造に関するものである。
【背景技術】
【０００２】
開閉器の操作用ハンドルが、ＯＮ位置にあるか、あるいは、ＯＦＦ位置にあるかを表示する手段として、ＯＮ/ＯＦＦ銘板を、ハンドル把手の上下でＯＮ表示とＯＦＦ表示に分けて、操作ハンドルの前面に貼り付ける技術が開示されている（特許文献１）。
【０００３】
しかし、上記技術は、ハンドルポジションとして、ＯＮ位置あるいはＯＦＦ位置の２ポジションのみを想定したものであり、中立位置も含めた３つのハンドルポジションを取りうる切替開閉器（特許文献２）には適用できない。
【０００４】
従来、中立位置も含む３ポジションを取りうる切替開閉器におけるハンドル位置を表示する手段としては、筐体の上面（機器取り付け面に対してハンドルを上方に向けて取り付けられた状態における上面）で、ハンドルの側方に位置する箇所に、各ポジションを標記したラベル、または印字や刻印を形成するなどの表示手段を形成し、採用されている。
【０００５】
なお、従来の切替開閉器では、外観のバランスを整えるため、筐体を上面からみた状態において、筐体の幅方向を２等分する２等分線と、ハンドルの幅方向を２等分する２等分線とが一致するように構成されている。この構成を前提として、切替開閉器の筐体のコンパクト化を行うと、表示手段等を形成するスペースが小さくなり表示手段を形成することが困難であるため、筐体のコンパクト化の観点からは好ましくないという問題があった。
【先行技術文献】
【特許文献】
【０００６】
【特許文献１】特開２０００−１８８０５４号公報
【特許文献２】特許３７５０９８１号公報
【発明の概要】
【発明が解決しようとする課題】
【０００７】
本発明の目的は前記の問題を解決し、開閉器におけるハンドル位置を表示することを目的として、筐体の上面で、ハンドルの側方に位置する箇所に、各ポジションを標記した表示手段等を形成する際の取付幅を確保しつつ、筐体のコンパクト化を実現することができる技術を提供することである。
【課題を解決するための手段】
【０００８】
上記課題を解決するためになされた本発明の開閉器は、開閉器を構成する筐体を、少なくとも１面を開口させた複数の箱状ケースの各開口を筐体の幅方向から突き合わせて構成し、該箱状ケースは、各々突合せた状態においてハンドルを貫通させる開口部となる切欠き部を、上面に備え、前記筐体を上面から見て前記開口部を２等分する２等分線と、筐体の幅方向を２等分する２等分線とが一致しないように、ずらして形成したことを特徴とするものである。
【０００９】
請求項２記載の発明は、請求項１記載の開閉器において、前記筐体の内部に、切換開閉器の開閉動作行うメカ機構部が収容され、前記ハンドルのうち前記開口部を貫通するように配置される軸部を、前記筐体を上面から見て幅方向で２等分する２等分線と、前記メカ機構部を、前記筐体を上面から見て幅方向で２等分する２等分線とが、一致しないように、該軸部を筐体の中央部からずらして配置したことを特徴とするものである。
【００１０】
請求項３記載の発明は、請求項２記載の開閉器において、前記軸部の先端には、ハンドル操作用の操作部が形成され、該操作部を、前記筐体を上面から見て幅方向で２等分する２等分線と、前記筐体の幅方向を２等分する２等分線とが一致するように、該操作部を筐体の中央部に配置したことを特徴とするものである。
【００１１】
請求項４記載の発明は、請求項３記載の開閉器を筐体幅方向に複数並べて使用する際の連結構造であって、隣接する操作部間を連結する連結部を備え、該連結部を、前記筐体を上面から見て幅方向で２等分する２等分線と、隣接する筐体間の境界線とが一致するように、該連結部を該境界線の中央部に配置したことを特徴とするものである。
【発明の効果】
【００１２】
本発明に係る開閉器では、開閉器を構成する筐体を、少なくとも１面を開口させた複数の箱状ケースの各開口を筐体の幅方向から突き合わせて構成し、該箱状ケースは、各々突合せた状態においてハンドルを貫通させる開口部となる切欠き部を、上面に備え、前記筐体を上面から見て、前記開口部を２等分する２等分線と、筐体の幅方向を２等分する２等分線とが、一致しないようにずらして形成しているため、開口部は、前記筐体を上面から見て、筐体の幅方向で左右何れかに片寄るように配置される。当該構造によれば、筐体をコンパクト化しても、開口部を片寄らせて一方の筐体の上面に表示手段等の取付幅となるスペースを確保することができる。
【００１３】
請求項２記載の発明のように、前記ハンドルのうち前記開口部を貫通するように配置される軸部を、前記筐体を上面から見て幅方向で２等分する２等分線と、前記メカ機構部を、前記筐体を上面から見て幅方向で２等分する２等分線とが、一致しないように、該軸部を筐体の中央部からずらして配置して形成している。当該構造により、メカ機構部は中央部に配置することにより、筐体の重心バランスに影響を及ぼすことなく、筐体の上面に表示手段等のスペースを確保することができる。
【００１４】
請求項３記載の発明のように、ハンドル操作用の操作部が、該操作部を、前記筐体を上面から見て、幅方向で２等分する２等分線と、前記筐体の幅方向を２等分する２等分線とが一致するように、筐体の中央部に配置することにより、開閉器の外観のバランスを損なうことなく、上記効果を奏することができる。
【００１５】
請求項４記載の発明のように、隣接する操作部間を連結する連結部を備え、該連結部を、前記筐体を上面から見て、幅方向で２等分する２等分線と、隣接する筐体間の境界線とが一致するように配置することによって、開閉器を筐体幅方向に複数並べて使用する際に、全体の外観のバランスを整えることができる。
【図面の簡単な説明】
【００１６】
【図１】下記の実施形態に係る切替開閉器の垂直断面図である。
【図２】ハンドルを右側に倒した状態の動作説明図である。
【図３】下記の実施形態に係る切替開閉器のハンドル情報から見た説明図である。
【図４】下記の実施形態に係る切替開閉器の全体斜視図である。
【図５】下記の実施形態に係る切替開閉器の要部説明図である。
【図６】下記の実施形態に係る切替開閉器の要部説明図である。
【図７】下記の実施形態に係る切替開閉器の左側面図である。
【発明を実施するための形態】
【００１７】
以下に本発明の好ましい実施形態を示す。
【００１８】
図１に示すように、本実施形態の開閉器は、ハンドル１を操作することにより出力端子部２，３をいずれかの側に切り換える切替開閉器であって、ハンドル１を挟むように、ハンドル１下方の前後２カ所に、第１の端子部となる出力端子部２，３を形成すると共に、一方の出力端子部２の上下方向に異なる位置に、入力端子部４を形成し、ハンドル１の前後の下端に、各々、軸支部５を介して、前後の可動接触子６，７の上端部を嵌め込み、各可動接触子６，７の中間位置とハンドル１の軸８との間に中立点を越えた瞬間に可動接触子６，７を反転させる反転ばね５０をそれぞれ張設して、ハンドル１の操作方向の可動接触子６，７を前後の固定接点９，１０側に動作させる構造を有する。入力端子部４と可動接触子６，７は、可撓導線２５を介して電気的に接続されている。なお、本明細書においては、図１の紙面左右方向を「前後方向」あるいは「筐体の長手方向」、図１の紙面上下方向を「上下方向」、図３の紙面左右方向を「左右方向」あるいは「筐体の幅方向」と呼ぶ。
【００１９】
本実施形態の切替開閉器は、ハンドル１の位置を、図１に示すように、中立位置で停止させることも可能である。ハンドル１が中立位置にある場合には、前後の可動接触子６，７の下部に設けた可動接点１７,１８は、何れも、前後の固定接点９，１０から離れたオフ位置にある。図２に示すように、中立状態からハンドル１を前方向に倒して行くと、軸８と軸支部５と反転ばね５０の下端とが一直線になった中立点を越えた瞬間に反転ばね５０の力によって、前側の可動接触子７が外側にくの字状に引かれ可動接点１８が固定接点１０と接触する。この状態で、後側の可動接触子６はケース１３，１４に形成された移動規制部２７に当接して移動が妨げられて、オフ位置に留められる。
【００２０】
出力端子部２，３は、出力端子ねじ１９、２０と、固定接点９，１０と、固定接触子２１から構成され、筐体１１の上面から見てハンドル１を中心に対角上に形成し、また、入力端子部４を、近接する出力端子部２と前記ハンドル１との間に位置することにより、筐体１１をコンパクトに出来る。また、前後の出力端子部２，３は、各々、ハンドル１の回動軸である軸８と直交する垂直軸を対称軸（Ｘ）として、線対称となる位置に配置されている。
【００２１】
入力端子部４は、図１に示すように、出力端子部２と前記の対称軸（Ｘ）との間に位置するように配置され、かつ、図３に示すように、切替開閉器を構成する筐体１１の幅方向（Ｗ）で、出力端子部２からずらした位置に配置されている。当該構造とすることにより、従来の切替開閉器（入力端子部と近接する出力端子部を、ハンドルの中心線からの距離を大きく確保した位置に配置することにより、絶縁距離を確保する開閉器）に比べて、入力端子部４と近接する出力端子部２の位置を、筐体１１の幅方向（Ｗ）に近接しても、各々の端子部間の絶縁距離を確保することができる。
【００２２】
本実施形態では、前記のように、入力端子部４を、筐体１１の幅方向（Ｗ）で、出力端子部２からずらした位置に配置するとともに、入力端子部４と出力端子部２を、筐体１１の幅方向（Ｗ）で一部重複させて、筐体１１のコンパクト化を図っている。
【００２３】
筐体１１のコンパクト化を図るために、本実施形態では、上記構造の他、入力端子部４と出力端子部２，３を、図３に示すように、その筐体１１の幅方向の中央寄りの端部が、筐体１１を幅方向で２等分する２等分線（Ａ）を跨ぐ位置に配置する構造、および、入力端子ねじ２２及び出力端子ねじ１９、２０の端部のうち、筐体１１の長手方向の中央寄り（すなわち、対称軸（Ｘ）寄り）の端部が、ハンドル１の上方から見た際、ハンドル１が収容される筐体本体部２６と重なるように、筐体本体部２６にオーバーハングさせて配置されるよう、筐体本体部２６に、前記各ねじの筐体１１の長手方向の中央寄りの端部を収容する凹部を形成する構造を、合わせて採用している。
【００２４】
更に、筐体１１のコンパクト化を図るために、本実施形態では、図３、図４に示すように、入力端子部４の左右に生じるスペースに、筐体１１側面の前後各々に面して開口させた断面半円状の溝部３５を形成し、この溝部を、切替開閉器を機器取付板などの機器取り付け面へ取り付ける際に用いる取付孔１２として利用している。当該構造によれば、切替開閉器を機器取付板等に固定する際、取付孔１２の形成スペースを確保することを目的とした筐体１１のサイズの大型化を行うことなく、機器取付板等に固定することができる。
【００２５】
図３、図４及び図６に示すように、切替開閉器を構成する筐体１１は、１面を開口させた箱状ケース１３，１４の各開口を筐体１１の幅方向から突き合わせて構成され、筐体１１の幅方向を貫くように、リベットまたは固定ネジ１５を挿入して係合固定されている。各箱状ケース１３，１４は、その突合せ面が、筐体１１を上面から見て、筐体１１を幅方向で２等分する２等分線（Ａ）と一致するように、同一幅を持って形成されている。
【００２６】
箱状ケース１３，１４を筐体１１の幅方向から突き合わせて構成された筐体１１内には、入力端子部４から１本の電線、出力端子部２，３の各々に接続された電線が配線されて、１極型の切替開閉器として使用されるが、複数の筐体１１を連結して、複数極の切替開閉器を構成することもできる。複数の筐体１１を連結する際は、リベットまたは固定ネジ１５を、全てのケースを貫通させて、係合固定が行われる。
【００２７】
箱状ケース１３，１４は、各々、両者を突合せた状態においてハンドル１の軸部２８を貫通させる開口部１６となる切欠き部２３，２４を、上面に備えている。
【００２８】
図５に示すように、切欠き部２３，２４は、筐体１１を上面から見て、開口部１６を２等分する２等分線（Ｂ）と、筐体１１の幅方向を２等分する２等分線（Ａ）とが、一致しないように、各々、幅方向長さが異なるものとして形成されている。当該構造によれば、開口部１６は、前記筐体１１を上面から見て、筐体１１の幅方向で箱状ケース１３側に片寄るように配置されるため、箱状ケース１４側の上面にポジションを標記したラベル１００や印字・刻印、ＬＥＤなどの表示手段を形成するための取付幅を確保することが可能となり、筐体１１をコンパクト化した場合でも、表示手段の取付の作業性が悪くならならないため、筐体１１のコンパクト化を実現することができる。
【００２９】
筐体１１の内部には、切換開閉器の開閉動作行うメカ機構部２９が収容されている。なお、上記のように、開口部１６を筐体１１の幅方向で左右何れかに片寄るように配置して、その開口部１６の直下にメカ機構部２９を配置させた場合には、筐体１１の重心バランスが崩れる恐れがある。これに対し、図６に示すように、筐体１１を上面から見て、ハンドル１の軸部２８を幅方向で２等分する２等分線（Ｃ）と、メカ機構部２９を幅方向で２等分する２等分線（Ｄ）とが一致しないように、ハンドル１の軸部２８を筐体１１の中央部からずらして配置する、また、メカ機構部２９を幅方向で２等分する２等分線（Ｄ）が、筐体１１の幅方向を２等分する２等分線（Ａ）と一致するように、メカ機構部２９を筐体１１の中央部に配置することにより、筐体１１の重心バランスに影響を及ぼすことなく、上記の効果を奏することができる。
【００３０】
また、図６に示すように、ハンドル１の軸部２８の先端には、操作部３０が設けられている。従来、切替開閉器等のハンドルは、筐体を上面から見て、軸部を幅方向で２等分する２等分線と、操作部を幅方向で２等分する２等分線が一致するように、形成されており、開口部の幅と軸部の幅を略同一として、開口部に軸部を貫通させて配置されている。このような従来形状のハンドルの軸部を、上記の図６のように、筐体１１の幅方向で左右何れかに片寄るように配置した開口部１６に貫通させた場合、操作部３０も、開口部１６と同様に、筐体１１の幅方向で左右何れかに片寄るように配置されることとなり、切替開閉器の外観のバランスを損なう恐れがある。これに対し、図６に示すように、操作部３０を、前記筐体１１を上面から見て、幅方向で２等分する２等分線（Ｅ）と、筐体１１の幅方向を２等分する２等分線（Ａ）とが一致するように、筐体１１の中央部に配置することにより、切替開閉器の外観のバランスを損なうことなく形成することが可能である。
【００３１】
なお、図３、図７に示すように、切替開閉器を筐体１１の幅方向に複数並べて使用する際には、一方の切替開閉器の操作部３０と隣接する他方の切替開閉器の操作部３０間を連結する連結部３１を備え、一方の切替開閉器及び他方の切替開閉器の操作部３０の操作をまとめてすることができる構造とすることが好ましい。この場合、連結部３１の中央部を、筐体１１を上面から見て、切替開閉器の筐体１１と隣接する他方の切替開閉器の筐体１１の幅方向で２等分する２等分線（Ｆ）と、一致するように配置することによって、切替開閉器を筐体１１の幅方向に複数並べて使用する際に、全体の外観のバランスを整えることができる。
【００３２】
なお、図３には、切替開閉器の上面に形成する表示手段として、ラベル１００を使用した実施形態を示している。上記で示したように入力端子部４及び出力端子部２，３は筐体１１の幅方向（Ｗ）にずらして形成しており、ずらして形成した左右位置にラベル１１０の表示部１１０ａ〜１１０ｃを貼付形成し、開口部１６に隣接して形成したラベル１００には表示部１１０ａ〜１１０ｃに対応させた表示部１００ａ〜１００ｃを形成しており、ハンドル１の操作方向を判断可能に形成している。また、ラベル１１０については入力端子部４及び出力端子部２，３を覆う端子カバー保持部などに形成するものであっても良い。
【００３３】
本実施形態においては、２つの箱状ケース１３，１４の切欠部２３，２４を筐体１１の幅方向から付き合わせて開口部１６を形成するものにおいて説明をしたが、３つの箱状ケースを筐体１１の幅方向から付き合わせて開口部を形成するものであっても良い。３つの箱状ケースの場合、左右の箱状ケースは上記実施例と同様に一方に開口を設けた箱状ケースで、中央の箱状ケースは略工字状に形成し、左右に形成した開口を左右の箱状ケースと付き合わせる構造となっている。その場合であっても、開口部を２等分する２等分線（Ｂ）が、筐体１１の幅方向を２等分する２等分線（Ａ）が一致しないようにずらして形成しておき、左右外側に形成した箱状ケースの何れかにラベル１００等の表示手段を取付けるための取付幅を確保するようにしても良い。
【００３４】
また、上記実施形態では、ハンドル１を操作することにより出力端子部２，３をいずれかの側に切り換える切替開閉器の説明を行ったが、本発明の開閉器は、切替開閉器に限定されるものではなく、配線用遮断器など、開閉器一般に適用可能である。なお、開口部１６を片寄らせて形成して出来たスペースには表示手段のほかに、付属装置の配置などによりハンドル１の幅方向にスペースが必要となる場合に有効である。
【００３５】
また、本実施形態においては、前後２ヵ所の第１の端子部を出力端子部２，３として、第１の端子部の上下方向に異なる位置に形成した第２の端子部を入力端子部４として形成し、出力方向を変更して使用することについて説明したものであるが、他の実施形態として、前後２ヵ所の第１の端子部を入力端子部として、第２の端子部を出力端子部として形成し、入力方向を変更して使用するものであっても良い。
【符号の説明】
【００３６】
１  ハンドル
２，３  出力端子部
４  入力端子部
５  軸支部
６，７  可動接触子
８  軸
９，１０  固定接点
１１  筐体
１２  取付孔
１３，１４  箱状ケース
１５  リベットまたは固定ネジ
１６  開口部
１７, １８  可動接点
１９, ２０  出力端子ねじ
２１  固定接触子
２２  入力端子ねじ
２３，２４  切欠き部
２５  可撓導線
２６  筐体本体部
２７  移動規制部
２８  ハンドルの軸部
２９  メカ機構部
３０  操作部
３１  連結部
３５  溝部
１００  ラベル
１００ａ〜１００ｃ  表示部
１１０  ラベル
１１０ａ〜１１０ｃ  表示部
【図１】
2015090835.tif 000003
【図２】
2015090835.tif 000004
【図３】
2015090835.tif 000005
【図４】
2015090835.tif 000006
【図５】
2015090835.tif 000007
【図６】
2015090835.tif 000008
【図７】
2015090835.tif 000009